(57)【要約】 【課題】  ヘッドホン単体で、音漏れを低減することが可能なヘッドホン装置を提供する。【解決手段】  ヘッドホン装置は、ヘッドホンの入力側に直列に接続されたインダクタを有する。また、ユーザが操作可能なスイッチにより、ヘッドホンへの入力信号を、インダクタを経由してヘッドホンへ供給する経路と、インダクタをバイパスしてヘッドホンへ供給する経路との間で切り替えることができる。ヘッドホンには内部抵抗があるため、インダクタとヘッドホンの内部抵抗とにより低域通過フィルタが構成され、これが音漏れ低減回路として機能する。このため、ユーザがスイッチを操作して、インダクタを経由する経路を選択すると、入力信号のうち、当該低域通過フィルタのカットオフ周波数を超える帯域成分が制限される。よって、音漏れが問題となる周波数帯域の音声信号を制限するようにカットオフ周波数を決定することにより、音漏れの低減が可能となる。【選択図】      図２
2006332871.tif 000002
【特許請求の範囲】
【請求項１】
ヘッドホンと、
前記ヘッドホンの入力側に、前記ヘッドホンに対して直列に接続されたインダクタと、
前記ヘッドホンへの入力信号を、前記インダクタを経由して前記ヘッドホンへ供給する経路と、前記インダクタをバイパスして前記ヘッドホンへ供給する経路との間で切り替えるスイッチと、を備えることを特徴とするヘッドホン装置。
【請求項２】
前記入力信号が供給されるプラグと、
前記プラグと前記ヘッドホンとを接続するヘッドホンコードと、を備え、
前記インダクタは前記ヘッドホンコードの途中に直列に接続されることを特徴とする請求項１に記載のヘッドホン装置。
【請求項３】
前記入力信号が供給されるプラグと、
前記プラグと前記ヘッドホンとを接続するヘッドホンコードと、
前記ヘッドホンコード上に設けられたコントロールボックスと、を備え、
前記インダクタ及び前記スイッチは、前記コントロールボックスに設けられることを特徴とする請求項１に記載のヘッドホン装置。
【請求項４】
複数の前記インダクタが直列接続されていることを特徴とする請求項１に記載のヘッドホン装置。
【請求項５】
前記インダクタと前記ヘッドホンの内部抵抗とは低域通過フィルタを構成し、前記低域通過フィルタのカットオフ周波数は、所定の音漏れ周波数に設定されることを特徴とする請求項１に記載のヘッドホン装置。
【発明の詳細な説明】
【技術分野】
【０００１】
本発明は、音漏れ低減機能を有するヘッドホン装置に関する。
【背景技術】
【０００２】
オープンエアータイプのヘッドホンは、ヘッドホンの前面及び背面の両方が開放された構造であるため、外部に音が漏れやすい。このため、電車などでポータブルプレイヤーを使用して音楽を聴く際に、音漏れが気になって音楽を十分に楽しむことができないという不満があった。この不満を解消するため、ポータブルプレイヤー側の機能として、音漏れ低減用の回路を搭載し、リモコンスイッチでコントロールするなどの方法が提案されている。
【０００３】
音響再生装置内に音漏れ周波数帯域の信号を減衰するフィルタを設けた例が特許文献１に記載されている。また、ポータブルプレイヤー、ヘッドホン又はリモコンボックス内に音漏れ周波数の信号を減衰するフィルタを設けた例が特許文献２に記載されている。
【０００４】
【特許文献１】特許第２７４５７５３号公報
【特許文献２】特許第２８９７３１６号公報
【発明の開示】
【発明が解決しようとする課題】
【０００５】
しかし、上記の対策は、ヘッドホン単体で音漏れを低減するものではなく、そのため回路及びその回路を駆動するための電源回路などが別途必要となるという問題があった。
【０００６】
本発明が解決しようとする課題には、上記のものが一例として挙げられる。本発明は、ヘッドホン単体で、音漏れを低減することが可能なヘッドホン装置を提供することを目的とする。
【課題を解決するための手段】
【０００７】
請求項１に記載の発明では、ヘッドホン装置は、ヘッドホンと、前記ヘッドホンの入力側に、前記ヘッドホンに対して直列に接続されたインダクタと、前記ヘッドホンへの入力信号を、前記インダクタを経由して前記ヘッドホンへ供給する経路と、前記インダクタをバイパスして前記ヘッドホンへ供給する経路との間で切り替えるスイッチと、を備えることを特徴とする。
【発明を実施するための最良の形態】
【０００８】
本発明の好適な実施形態では、ヘッドホン装置は、ヘッドホンと、前記ヘッドホンの入力側に、前記ヘッドホンに対して直列に接続されたインダクタと、前記ヘッドホンへの入力信号を、前記インダクタを経由して前記ヘッドホンへ供給する経路と、前記インダクタをバイパスして前記ヘッドホンへ供給する経路との間で切り替えるスイッチと、を備える。
【０００９】
上記のヘッドホン装置は、ヘッドホンの入力側に直列に接続されたインダクタを有する。また、ユーザが操作可能なスイッチにより、ヘッドホンへの入力信号を、インダクタを経由してヘッドホンへ供給する経路と、インダクタをバイパスしてヘッドホンへ供給する経路との間で切り替えることができる。ヘッドホンには内部抵抗があるため、インダクタとヘッドホンの内部抵抗とにより低域通過フィルタが構成され、これが音漏れ低減回路として機能する。このため、ユーザがスイッチを操作して、インダクタを経由する経路を選択すると、入力信号のうち、当該低域通過フィルタのカットオフ周波数を超える帯域成分が制限される。よって、音漏れが問題となる周波数帯域の音声信号を制限するようにカットオフ周波数を決定することにより、音漏れの低減が可能となる。
【００１０】
上記のヘッドホン装置の一態様は、前記入力信号が供給されるプラグと、前記プラグと前記ヘッドホンとを接続するヘッドホンコードと、を備え、前記インダクタは前記ヘッドホンコードの途中に直列に接続される。
【００１１】
この態様では、オーディオプレイヤーなどに挿入され、入力信号が供給されるプラグと、ヘッドホン本体内部に設けられるヘッドホンとがヘッドホンコードにより接続され、その途中にインダクタが設けられる。即ち、インダクタは、ヘッドホンコードに対して直列に挿入される。これにより、音漏れ低減用の回路などをヘッドホン本体に設ける必要がなくなり、ヘッドホン本体の大型化やコストアップを防止することができる。
【００１２】
上記のヘッドホン装置の他の一態様は、前記入力信号が供給されるプラグと、前記プラグと前記ヘッドホンとを接続するヘッドホンコードと、前記ヘッドホンコード上に設けられたコントロールボックスと、を備え、前記インダクタ及び前記スイッチは、前記コントロールボックスに設けられる。
【００１３】
この態様では、音漏れ低減回路を構成するインダクタ、及び、それをオン／オフするスイッチがヘッドホンコード上のコントロールボックスに設けられる。コントロールボックスは、本来、オーディオプレイヤーなどの再生操作や音量調整などのための操作部が設けられているので、そこにインダクタ及びスイッチを設けることにより、従来のヘッドホン装置に対する大幅な変更なく、音漏れ低減機能を付加することができる。
【００１４】
上記のヘッドホン装置の他の一態様では、複数の前記インダクタが直列接続されている。複数のインダクタを設け、スイッチによりそれらを選択して動作させることにより、音漏れ低減回路として機能する低域通過フィルタのカットオフ周波数を選択可能とすることができる。よって、ユーザは状況に応じて適切な周波数帯域の信号を低減するように音漏れ低減回路を動作させることができる。
【実施例】
【００１５】
以下、本発明の好適な実施例を図面に基づいて説明する。
【００１６】
［ヘッドホン装置］
図１は、本発明を適用したヘッドホン装置の概略構成を模式的に示す。図１において、ヘッドホン装置１０は、大別して、ヘッドホン本体１２と、コントロールボックス１４と、ステレオミニプラグなどのプラグ１６と、ヘッドホンコード１５とを備える。ヘッドホン本体１２は、オープンエアー型のヘッドホンであり、左右のヘッドホン１１Ｌ及び１１Ｒを備える。コントロールボックス１４は、ヘッドホン本体１２とプラグ１６を接続するヘッドホンコード１５の中間に設けられ、音楽の再生、停止、ポーズ、早送り、巻き戻し、音量調整などの各種の操作部、及び、液晶などの表示部を備える。プラグ１６は、例えばＭＤプレイヤー、デジタルオーディオプレイヤーなどのプレイヤーに挿入される。
【００１７】
［音漏れ低減回路］
次に、音漏れ低減回路について説明する。
【００１８】
（第１実施例）
第１実施例に係る音漏れ低減回路の回路構成を図２に示す。音漏れ低減回路２０は、図１に示すコントロールボックス１４内に搭載され、スイッチ２１と、Ｌチャンネル用のインダクタ２２Ｌと、Ｒチャンネル用のインダクタ２２Ｒとを備える。なお、スイッチ２１は、コントロールボックス１４上に、ユーザが操作可能な形態で設けられる。
【００１９】
Ｌチャンネル用のインダクタ２２Ｌは、プラグ１６のＬチャンネル端子１６Ｌとヘッドホン１１Ｌのプラス側端子との間に接続される。また、インダクタ２２Ｌの両端は、スイッチ２１の端子Ｌ１とＬ２にそれぞれ接続される。同様に、Ｒチャンネル用のインダクタ２２Ｒは、プラグ１６のＲチャンネル端子１６Ｒとヘッドホン１１Ｒのプラス側端子との間に接続される。また、インダクタ２２Ｒの両端は、スイッチ２１の端子Ｒ１とＲ２にそれぞれ接続される。さらに、プラグ１６のグランド（ＧＮＤ）端子１６Ｇは、左右のヘッドホン１１Ｌ及び１１Ｒのマイナス側端子に接続される。
【００２０】
スイッチ２１はスライド式スイッチであり、ユーザの手操作により、スライド部２１ｘが図中の左右方向にスライドする。スライド部２１ｘが図２の実線で示すように右側にスライドした状態で、音漏れ低減回路２０はオン状態となる。具体的には、スイッチ２１の端子Ｌ１とＬ２は導通せず、プラグ１６のＬチャンネル端子１６Ｌはインダクタ２２Ｌを介してＬチャンネルヘッドホン１１Ｌのプラス側端子と接続される。ここで、Ｌチャンネルヘッドホン１１Ｌは内部抵抗を有するため、インダクタ２２Ｌと、ヘッドホン１１Ｌの内部抵抗とにより積分回路（低域通過フィルタ）が構成される。インダクタ２２Ｌの値を「ＬＬ」、ヘッドホン１１Ｌの内部抵抗の値を「ＲＬ」とすると、その低域通過フィルタのカットオフ周波数ｆ０は、
ｆ０＝ＲＬ／２πＬＬ
で与えられる。
【００２１】
同様に、スライド部２１ｘが図２の実線で示すように右側にスライドした状態では、スイッチ２１の端子Ｒ１とＲ２は導通せず、プラグ１６のＲチャンネル端子１６Ｒはインダクタ２２Ｒを介してＲチャンネルヘッドホン１１Ｒのプラス側端子と接続される。Ｒチャンネルヘッドホン１１Ｒは内部抵抗を有するため、インダクタ２２Ｒと、ヘッドホン１１Ｒの内部抵抗とにより積分回路（低域通過フィルタ）が構成される。インダクタ２２Ｒの値を「ＬＲ」、ヘッドホン１１Ｒの内部抵抗の値を「ＲＲ」とすると、その低域通過フィルタのカットオフ周波数ｆ０は、
ｆ０＝ＲＲ／２πＬＲ
で与えられる。
【００２２】
よって、音漏れ低減回路２０により音漏れを防止したい周波数帯域に基づいて、低域通過フィルタのカットオフ周波数を決定し、インダクタ２２Ｌ、２２Ｒの値を決定することにより、所望の帯域において効果的に音漏れを低減することが可能となる。
【００２３】
一方、スライド部２１ｘが図２の破線で示すように左側にスライドした状態では、音漏れ低減回路２０はオフ状態となる。この場合、具体的には、スイッチ２１の端子Ｌ１とＬ２、Ｒ１とＲ２がそれぞれ接続され、プラグ１６とヘッドホン１１Ｌ、１１Ｒの間にはインダクタ２２Ｌ、２２Ｒをバイパスする経路が形成され、音声信号はその経路を通ってヘッドホン１１Ｌ、１１Ｒへ供給される。なお、インダクタ２２Ｌ及び２２Ｒは直流抵抗分を有するので、その分音声信号のゲインは低下することになる。
【００２４】
以上のように、ユーザはコントロールボックス１４に設けられたスイッチ２１を操作することにより、音漏れ低減回路２０をオン／オフすることができる。よって、電車の中など音漏れが気になる状況では音漏れ低減回路２０をオンにすればよく、音漏れが気にならない状況では音漏れ低減回路をオフにし、良い音で音楽を楽しむことができる。また、本実施例では、スイッチ２１を含む音漏れ回路２０をヘッドホンコード１５の途中に配置されたコントロールボックス内に設けているので、ユーザは容易に音漏れ低減回路２０の操作を行うことができる。また、ヘッドホン本体１２側には特別な回路などを設ける必要がないので、ヘッドホン本体１２の大型化、コストアップなども生じない。
【００２５】
［第２実施例］
第２実施例に係る音漏れ低減回路の回路構成を図３に示す。図３から理解されるように、第２実施例に係る音漏れ低減回路２０ａは図２に示す第１実施例に係る音漏れ低減回路２０と基本的な構成は同様である。但し、第２実施例では、Ｌ及びＲの各チャンネルにインダクタを一対ずつ設けている。これにより、インダクタとヘッドホンの内部抵抗とにより構成される低域通過フィルタのカットオフ周波数を２種類用意し、ユーザが任意に切り替え可能としている。
【００２６】
具体的には、スイッチ２１ａのスライド部２１ｘが図３に示すように最も左側にスライドし、端子Ｌ１〜Ｌ３を導通させているときには、インダクタ２２Ｌ１とヘッドホン１１Ｌの内部抵抗で決まる第１のカットオフ周波数で音漏れ低減回路２０ａが動作する。同様に、Ｒチャンネルについても、端子Ｒ１〜Ｒ３が導通し、インダクタ２２Ｒ１とヘッドホン１１Ｒの内部抵抗で決まる第１のカットオフ周波数で音漏れ低減回路２０ａが動作する。
【００２７】
一方、スイッチ２１ａのスライド部２１ｘが、図３において最も右側にスライドし、端子Ｌ３〜Ｌ５を導通させているときには、インダクタ２２Ｌ２とヘッドホン１１Ｌの内部抵抗で決まる第２のカットオフ周波数で音漏れ低減回路２０ａが動作する。同様に、Ｒチャンネルについても、端子Ｒ３〜Ｒ５が導通し、インダクタ２２Ｒ２とヘッドホン１１Ｒの内部抵抗で決まる第２のカットオフ周波数で音漏れ低減回路２０ａが動作する。
【００２８】
さらに、スイッチ２１ａのスライド部２１ｘが図３における中間の位置にスライドし、端子Ｌ２〜Ｌ４、及び、端子Ｒ２〜Ｒ４を導通させているときには、音漏れ低減回路２０ａはオフ状態となる。
【００２９】
従って、異なる２種類のカットオフ周波数を切替可能なように各インダクタ２２Ｌ１、２２Ｌ２、２２Ｒ１、２２Ｒ２の値を決定すれば、ユーザは状況に応じてカットオフ周波数を切り替えて音漏れ低減回路を使用することができる。なお、音漏れ低減周波数に対応する適切なカットオフ周波数としては、例えば５００Ｈｚ、７００Ｈｚ、１ｋＨｚなどが挙げられる。
【００３０】
上記のように、本実施例のヘッドホン装置１０は、ヘッドホン１１と、ヘッドホン１１の入力側に、ヘッドホン１１に対して直列に接続されたインダクタ２２と、ヘッドホン１１への入力信号を、インダクタ２２を経由してヘッドホン１１へ供給する経路と、インダクタ２２をバイパスしてヘッドホン１１へ供給する経路との間で切り替えるスイッチ２１と、を備える。ヘッドホンには内部抵抗があるため、インダクタとヘッドホンの内部抵抗とにより低域通過フィルタが構成され、これが音漏れ低減回路として機能する。このため、音漏れが問題となる周波数帯域の音声信号を制限するようにカットオフ周波数を決定することにより、音漏れの低減が可能となる。
【図面の簡単な説明】
【００３１】
【図１】本発明を適用したヘッドホン装置の概略構成を模式的に示す。
【図２】音漏れ低減回路の第１実施例のブロック図である。
【図３】音漏れ低減回路の第２実施例のブロック図である。
【符号の説明】
【００３２】
１０  ヘッドホン装置
１１Ｌ、１１Ｒ  ヘッドホン
１２  ヘッドホン本体
１４  コントロールボックス
１５  ヘッドホンコード
１６  プラグ
２０  音漏れ低減回路
２１  スイッチ
２２  インダクタ
【図１】
2006332871.tif 000003
【図２】
2006332871.tif 000004
【図３】
2006332871.tif 000005